【手続補正書】
【提出日】平成28年11月15日(2016.11.15)
【手続補正１】
【補正対象書類名】明細書
【補正対象項目名】００１３
【補正方法】変更
【補正の内容】
【００１３】
本発明の一側面は、複数の撮影画像を含む画像である特別画像を表示する表示部と、前記表示部に表示された前記特別画像の、前記複数の撮影画像のいずれか１つを含む部分領域を落書き編集可能とし、前記部分領域に対する落書き編集入力を受け付ける受付部と、前記受付部により受け付けられた前記落書き編集入力に基づいて、前記特別画像の落書き編集を行う落書き編集部とを備える画像処理装置である。
【手続補正２】
【補正対象書類名】明細書
【補正対象項目名】００１４
【補正方法】変更
【補正の内容】
【００１４】
前記表示部は、落書き編集可能な前記部分領域を強調表示することができる。
【手続補正３】
【補正対象書類名】明細書
【補正対象項目名】００１５
【補正方法】変更
【補正の内容】
【００１５】
前記表示部は、落書き編集可能な前記部分領域の外周を囲む枠画像を表示することができる。
【手続補正４】
【補正対象書類名】明細書
【補正対象項目名】００１６
【補正方法】変更
【補正の内容】
【００１６】
前記表示部は、前記特別画像の、落書き編集可能な前記部分領域と、前記部分領域以外の領域とで、所定のパラメータを変化させることができる。
【手続補正５】
【補正対象書類名】明細書
【補正対象項目名】００１７
【補正方法】変更
【補正の内容】
【００１７】
前記パラメータは、色相、彩度、明度の内、少なくともいずれか１つを含むようにすることができる。
【手続補正６】
【補正対象書類名】明細書
【補正対象項目名】００１８
【補正方法】変更
【補正の内容】
【００１８】
前記表示部は、前記特別画像の、落書き編集不可能な領域をグレー表示することができる。
【手続補正７】
【補正対象書類名】明細書
【補正対象項目名】００１９
【補正方法】変更
【補正の内容】
【００１９】
前記受付部は、さらに前記特別画像の前記撮影画像でない部分を、落書き編集可能な前記部分領域に含めることができる。
【手続補正８】
【補正対象書類名】明細書
【補正対象項目名】００２０
【補正方法】変更
【補正の内容】
【００２０】
前記受付部は、落書き編集可能な部分領域を、現在の前記部分領域から、前記特別画像の他の撮影画像を含む他の部分領域に切り替えることができるようにすることができる。
前記受付部は、所定のタイミングにおいて、落書き編集可能な部分領域を切り替えることができる。
前記受付部は、利用者の要求に基づいて、落書き編集可能な部分領域を切り替えることができる。
前記落書き編集部は、前記受付部により受け付けられた前記落書き編集入力に対応する落書き編集が落書き編集不可能な領域にまで達する場合、落書き編集可能な前記部分領域内に収まるように、前記落書き編集の形状、位置、または大きさを変化させることができる。
前記特別画像は、利用者を被写体として撮影し、背景画像を含む１枚の合成用画像と合成するための撮影画像を１枚生成する処理である通常撮影により得られる撮影画像である通常撮影画像と、前記通常撮影以外の撮影である特別撮影により得られる撮影画像である特別撮影画像と、合成用画像との合成画像であるようにすることができる。
前記特別撮影画像は、利用者を被写体として撮影し、合成用画像および前記通常撮影画像と合成するための撮影画像を生成する処理であるコラージュ撮影により得られる撮影画像であるコラージュ撮影画像であるようにすることができる。
前記受付部は、前記特別画像の、前記特別撮影画像を含む部分領域を落書き編集可能とすることができる。
前記受付部は、前記特別画像の、前記通常撮影画像を含む部分領域を落書き編集可能とすることができる。
前記通常撮影と前記特別撮影とを行う撮影部と、前記撮影部による前記通常撮影により得られる前記通常撮影画像と、前記撮影部による前記特別撮影により得られる前記特別撮影画像とを合成して前記特別画像を生成する生成部をさらに備えるようにすることができる。
前記落書き編集部により落書き編集が行われた前記特別画像を、シール紙に印刷する印刷部をさらに備えるようにすることができる。
前記落書き編集部により落書き編集が行われた前記特別画像を、他の装置に送信する送信部をさらに備えるようにすることができる。
【手続補正９】
【補正対象書類名】明細書
【補正対象項目名】００２１
【補正方法】変更
【補正の内容】
【００２１】
本発明の一側面は、また、複数の撮影画像を含む画像である特別画像を表示し、表示された前記特別画像の、前記複数の撮影画像のいずれか１つを含む部分領域を落書き編集可能とし、前記部分領域に対する落書き編集入力を受け付け、受け付けられた前記落書き編集入力に基づいて、前記特別画像の落書き編集を行う画像処理方法である。
【手続補正１０】
【補正対象書類名】明細書
【補正対象項目名】００２２
【補正方法】変更
【補正の内容】
【００２２】
本発明の一側面は、さらに、コンピュータを、複数の撮影画像を含む画像である特別画像を表示する表示部と、前記表示部に表示された前記特別画像の、前記複数の撮影画像のいずれか１つを含む部分領域を落書き編集可能とし、前記部分領域に対する落書き編集入力を受け付ける受付部と、前記受付部により受け付けられた前記落書き編集入力に基づいて、前記特別画像の落書き編集を行う落書き編集部として機能させるためのプログラムである。
【手続補正１１】
【補正対象書類名】明細書
【補正対象項目名】００２３
【補正方法】変更
【補正の内容】
【００２３】
本発明の一側面によれば、複数の撮影画像を含む画像である特別画像が表示され、表示された特別画像の、複数の撮影画像のいずれか１つを含む部分領域が落書き編集可能とされ、その部分領域に対する落書き編集入力が受け付けられ、受け付けられたその落書き編集入力に基づいて、特別画像の落書き編集が行われる。
【手続補正１２】
【補正対象書類名】特許請求の範囲
【補正対象項目名】全文
【補正方法】変更
【補正の内容】
【特許請求の範囲】
【請求項１】
複数の撮影画像を含む画像である特別画像を表示する表示部と、
前記表示部に表示された前記特別画像の、前記複数の撮影画像のいずれか１つを含む部分領域を落書き編集可能とし、前記部分領域に対する落書き編集入力を受け付ける受付部と、
前記受付部により受け付けられた前記落書き編集入力に基づいて、前記特別画像の落書き編集を行う落書き編集部と
を備える画像処理装置。
【請求項２】
前記表示部は、落書き編集可能な前記部分領域を強調表示する
請求項１に記載の画像処理装置。
【請求項３】
前記表示部は、落書き編集可能な前記部分領域の外周を囲む枠画像を表示する
請求項２に記載の画像処理装置。
【請求項４】
前記表示部は、前記特別画像の、落書き編集可能な前記部分領域と、前記部分領域以外の領域とで、所定のパラメータを変化させる
請求項２に記載の画像処理装置。
【請求項５】
前記パラメータは、色相、彩度、明度の内、少なくともいずれか１つを含む
請求項４に記載の画像処理装置。
【請求項６】
前記表示部は、前記特別画像の、落書き編集不可能な領域をグレー表示する
請求項５に記載の画像処理装置。
【請求項７】
前記受付部は、さらに前記特別画像の前記撮影画像でない部分を、落書き編集可能な前記部分領域に含める
請求項１に記載の画像処理装置。
【請求項８】
前記受付部は、落書き編集可能な部分領域を、現在の前記部分領域から、前記特別画像の他の撮影画像を含む他の部分領域に切り替えることができる
請求項１に記載の画像処理装置。
【請求項９】
前記受付部は、所定のタイミングにおいて、落書き編集可能な部分領域を切り替える
請求項８に記載の画像処理装置。
【請求項１０】
前記受付部は、利用者の要求に基づいて、落書き編集可能な部分領域を切り替える
請求項８に記載の画像処理装置。
【請求項１１】
前記落書き編集部は、前記受付部により受け付けられた前記落書き編集入力に対応する落書き編集が落書き編集不可能な領域にまで達する場合、落書き編集可能な前記部分領域内に収まるように、前記落書き編集の形状、位置、または大きさを変化させる
請求項１に記載の画像処理装置。
【請求項１２】
前記特別画像は、
利用者を被写体として撮影し、背景画像を含む１枚の合成用画像と合成するための撮影画像を１枚生成する処理である通常撮影により得られる撮影画像である通常撮影画像と、
前記通常撮影以外の撮影である特別撮影により得られる撮影画像である特別撮影画像と、
合成用画像と
の合成画像である
請求項１に記載の画像処理装置。
【請求項１３】
前記特別撮影画像は、利用者を被写体として撮影し、前記合成用画像および前記通常撮影画像と合成するための撮影画像を生成する処理であるコラージュ撮影により得られる撮影画像であるコラージュ撮影画像である
請求項１２に記載の画像処理装置。
【請求項１４】
前記受付部は、前記特別画像の、前記特別撮影画像を含む部分領域を落書き編集可能とする
請求項１２に記載の画像処理装置。
【請求項１５】
前記受付部は、前記特別画像の、前記通常撮影画像を含む部分領域を落書き編集可能とする
請求項１２に記載の画像処理装置。
【請求項１６】
前記通常撮影と前記特別撮影とを行う撮影部と、
前記撮影部による前記通常撮影により得られる前記通常撮影画像と、前記撮影部による前記特別撮影により得られる前記特別撮影画像とを合成して前記特別画像を生成する生成部をさらに備える
請求項１２に記載の画像処理装置。
【請求項１７】
前記落書き編集部により落書き編集が行われた前記特別画像を、シール紙に印刷する印刷部をさらに備える
請求項１に記載の画像処理装置。
【請求項１８】
前記落書き編集部により落書き編集が行われた前記特別画像を、他の装置に送信する送信部をさらに備える
請求項１に記載の画像処理装置。
【請求項１９】
複数の撮影画像を含む画像である特別画像を表示し、
表示された前記特別画像の、前記複数の撮影画像のいずれか１つを含む部分領域を落書き編集可能とし、前記部分領域に対する落書き編集入力を受け付け、
受け付けられた前記落書き編集入力に基づいて、前記特別画像の落書き編集を行う
画像処理方法。
【請求項２０】
コンピュータを、
複数の撮影画像を含む画像である特別画像を表示する表示部と、
前記表示部に表示された前記特別画像の、前記複数の撮影画像のいずれか１つを含む部分領域を落書き編集可能とし、前記部分領域に対する落書き編集入力を受け付ける受付部と、
前記受付部により受け付けられた前記落書き編集入力に基づいて、前記特別画像の落書き編集を行う落書き編集部と
して機能させるためのプログラム。